(57)【要約】【課題】浴室内をサウナ空間とするサウナ装置において、浴室内にいる使用者に水をかけることなく、また、サウナ装置内部に菌が繁殖することなく、また使用者に不快感を与えることなくサウナ装置内部に残留した加湿温水を排出する残留水排水運転を行う、または使用者に残留水排水運転を促すことができるサウナ装置を提供することを目的としている。【解決手段】サウナ装置内に残留した水を浴室１０１内の排水口８または浴室外に排出する排水手段を設けた事により、浴室１０１内にいる使用者に水をかけることなく、また、サウナ装置内部に菌が繁殖することなく、また使用者に不快感を与えることなくサウナ装置内部に残留した加湿温水を排出することができるサウナ装置を提供できる。【選択図】図１
2007260007.tif 000002
【特許請求の範囲】
【請求項１】
空気を加温および加湿することにより浴室内をサウナ空間とするサウナ装置において、サウナ装置内に残留した水を浴室内の排水口または浴室外に排出する排水手段を設けたことを特徴とするサウナ装置。
【請求項２】
前記排水手段を動作させ、サウナ装置内に残留した水を排出する残留水排水運転のモードと、使用者が残留水排水運転を指令する運転指令入力手段を設けたことを特徴とする請求項１記載のサウナ装置。
【請求項３】
前記残留水排水運転後、サウナ装置内を乾燥する装置乾燥運転を行うことを特徴とする請求項２記載のサウナ装置。
【請求項４】
サウナ運転終了後、使用者に残留水排水運転の実施を促す残留水排水運転要請手段を備えたことを特徴とする請求項２または３記載のサウナ装置。
【請求項５】
前記残留水排水運転および前記装置乾燥運転をサウナ運転終了後から所定時間経過後に行うことを特徴とする請求項３記載のサウナ装置。
【請求項６】
前記残留水排水運転および前記装置乾燥運転を定期的に行うことを特徴とする請求項３または４記載のサウナ装置。
【請求項７】
前記残留水排水運転を行っている際は残留水排水運転中である旨を報知する報知手段を備えたことを特徴とする請求項２乃至６のいずれかに記載のサウナ装置。
【請求項８】
前記装置乾燥運転を行っている際は装置乾燥運転中である旨を報知することを特徴とする請求項７記載のサウナ装置。
【発明の詳細な説明】
【技術分野】
【０００１】
本発明は、浴室内をサウナ空間とするサウナ装置に関するものである。
【背景技術】
【０００２】
従来、この種のサウナ装置は、熱源機から供給された温水をミスト噴霧手段としての噴霧ノズルから噴射することにより浴室内を高温高湿な状態にする方法が知られている（例えば、特許文献１参照）。
【０００３】
以下、そのサウナ装置について図２を参照しながら説明する。
【０００４】
図２に示すように、浴室１０１の天井部１０２に設置されたサウナ装置１０３内部には、浴室１０１内の空気をサウナ装置１０３内部に取りこむための吸込み口１０４、サウナ装置１０３内部で加温した空気を浴室１０１内に吹出す為の吹出し口１０５、空気を循環させるための循環ファン１０６、空気を加温するための熱交換器１０７、熱交換器１０７に温水を供給するための温水循環経路１０８、温水循環経路１０８を循環する温水の循環を閉止するための循環水閉止弁１０９、加湿用の水または温水を浴室内に噴霧するための噴霧ノズル１１０、噴霧ノズル１１０に加湿用の水または温水を供給するための加湿温水供給経路１１１、加湿温水供給経路１１１に温水の供給を停止するための加湿温水閉止弁１１２が設けられている。
【０００５】
サウナ装置１０３に設けられた温水循環経路１０８は外部配管１１３を介してボイラなどの熱源機１１４の暖房用温水循環回路１１５（図示せず）に接続され、熱源機１１４から供給された温水をサウナ装置１０３内部に循環させる。温水循環経路１０８上に設けられた熱交換器１０７上で、循環ファン１０６により装置内に取り込まれた浴室１０１内の空気と熱交換を行うことで浴室１０１内の空気を加温する。熱交換器１０７で熱交換を行うことにより低温となった温水は温水循環経路１０８及び外部配管１１３を介して熱源機１１４に戻り、再び加温されてサウナ装置１０３に供給される。一方、循環ファン１０６により吸込み口１０４からサウナ装置１０３内部に取りこまれた浴室１０１内の空気は熱交換器１０７で加温された後、吹出し口１０５を通って浴室１０１内に吹出すことで浴室１０１内の空気を加温する。
【０００６】
一方、サウナ装置１０３に設けられた加湿温水供給経路１１１は外部給湯配管１１６により、熱源機１１４の給湯回路１１７（図示せず）に接続され、熱源機１１４から供給された加湿用温水は外部給湯配管１１６を介してサウナ装置１０３内の加湿温水供給経路１１１に供給され、加湿温水供給経路１１１に接続された噴霧ノズル１１０から浴室１０１内へ細かい霧状に噴霧されることで浴室１０１内の空気を加湿する。
【特許文献１】特開２００２−３３６３２７号公報
【発明の開示】
【発明が解決しようとする課題】
【０００７】
このような従来のサウナ装置では、サウナ運転を終了した際に加湿用温水経路内に残った加湿用の水または温水が噴霧ノズルの噴霧口を介して空気と接触しているため、配管内に残った水内部でレジオネラ菌などが繁殖し、次回サウナ運転時にこれらの菌を噴霧してしまう可能性がある。そのため、サウナ運転終了時にはサウナ装置内部の加湿用の水または温水を外部に排出する必要があるが、浴室内にいる使用者に水をかけることなく排出することが難しく、また、使用者がいなくなるまで遅延して排出したとしても浴室内を濡らしてしまうため、浴室内のカビ発生要因となり得る、また、使用者に不快感を与えるという課題があり、サウナ運転終了後に使用者に不快感を与えることなくサウナ装置内部に残留した加湿温水を排出する残留水排水運転を行う、または使用者に残留水排水運転を促すサウナ装置を提供することが要求されている。
【０００８】
本発明は、このような従来の課題を解決するものであり、浴室内にいる使用者に水をかけることなく、また、サウナ装置内部に菌が繁殖することなく、また使用者に不快感を与えることなく残留した加湿温水を排出する残留水排水運転を行う、または使用者に残留水排水運転を促すことができるサウナ装置を提供することを目的としている。
【０００９】
また、業者やメーカによるサウナ装置設置時の試運転から使用者が入居するまでの間や、使用者の旅行や出張など長期にわたり不在になる際、特に寒冷地において、配管凍結による破裂防止のため、サウナ運転終了時だけでなく水抜きをする必要がある。
【００１０】
本発明は、このような従来の課題を解決するものであり、長期不在にする際など使用者の意思により、浴室内にいる使用者に水をかけることなく、また、サウナ装置内部に菌が繁殖することなく、また使用者に不快感を与えることなく残留した加湿温水を排出することができるサウナ装置を提供することを目的としている。
【００１１】
また、サウナ運転終了後にサウナ装置内部に残留した加湿温水を排出した直後は、浴室内はまだ温度、湿度共に高い状態であることが想定され、装置内部の結露発生と結露水による菌繁殖が懸念されるという課題があり、装置内部を乾燥する装置乾燥運転を行う、または使用者に装置乾燥運転を促すサウナ装置を提供することが要求されている。
【００１２】
本発明は、このような従来の課題を解決するものであり、サウナ装置内部に残留した加湿温水を排出した後、結露防止と菌発生抑制のためサウナ装置内部を乾燥する装置乾燥運転を行う、または使用者に装置乾燥運転を促すことができるサウナ装置を提供することを目的としている。
【課題を解決するための手段】
【００１３】
本発明のサウナ装置は上記目的を達成するために、空気を加温および加湿することにより浴室内をサウナ空間とするサウナ装置において、サウナ装置内に残留した水を浴室内の排水口または浴室外に排出する排水手段を設けたことを特徴としたものである。
【００１４】
この手段により、浴室内にいる使用者に水をかけることなく、また、サウナ装置内部に菌が繁殖することなく、また使用者に不快感を与えることなくサウナ装置内部に残留した加湿温水を排出することができるサウナ装置を提供できる。
【００１５】
また、第２の課題解決手段は、前記排水手段を動作させ、サウナ装置内に残留した水を排出する残留水排水運転のモードと、使用者が残留水排水運転を指令する運転指令入力手段を設けたことを特徴としたものである。
【００１６】
この手段により、使用者の運転指令により残留水排水運転を行うことで、浴室内にいる使用者に水をかけることなく、また、サウナ装置内部に菌が繁殖することなく、また使用者に不快感を与えることなくサウナ装置内部に残留した加湿温水を排出することができるサウナ装置を提供できる。
【００１７】
また、第３の課題解決手段は、前記残留水排水運転後、サウナ装置内を乾燥する装置乾燥運転を行うことを特徴としたものである。
【００１８】
この手段により、サウナ装置内部が結露することなく、サウナ装置内部を乾燥する装置乾燥運転を行うことができるサウナ装置を提供できる。
【００１９】
また、第４の課題解決手段は、サウナ運転終了後、使用者に残留水排水運転の実施を促す残留水排水運転要請手段を備えたことを特徴としたものである。
【００２０】
この手段により、サウナ運転終了後に使用者に残留水排水運転の実施を促すことで、使用者が必要な時のみ残留水排水運転を行い、浴室内にいる使用者に水をかけることなく、また、サウナ装置内部に菌が繁殖することなく、また使用者に不快感を与えることなくサウナ装置内部に残留した加湿温水を排出することができるサウナ装置を提供できる。
【００２１】
また、第５の課題解決手段は、前記残留水排水運転および前記装置乾燥運転をサウナ運転終了後から所定時間経過後に行うことを特徴としたものである。
【００２２】
この手段により、サウナ運転終了後に浴室内にいる使用者に水をかけることなく、また、サウナ装置内部に菌が繁殖することなく、また使用者に不快感を与えることなくサウナ装置内部に残留した加湿温水を排出することができるサウナ装置を提供できる。
【００２３】
また、第６の課題解決手段は、前記残留水排水運転および前記装置乾燥運転を定期的に行うことを特徴としたものである。
【００２４】
この手段により、前記残留水排水運転および前記装置乾燥運転を定期的に行う事でサウナ装置内部に菌が繁殖することなく、また使用者に不快感を与えることなくサウナ装置内部に残留した加湿温水を排出することができるサウナ装置を提供できる。
【００２５】
また、第７の課題解決手段は、前記残留水排水運転を行っている際は残留水排水運転中である旨を報知する報知手段を備えたことを特徴としたものである。
【００２６】
この手段により、使用者に残留水排水運転中である旨を報知することで、使用者に水をかけることなく、また、サウナ装置内部に菌が繁殖することなく、また使用者に不快感を与えることなくサウナ装置内部に残留した加湿温水を排出する残留水排水運転を使用者が誤って中断することを防止できるサウナ装置を提供できる。
【００２７】
また、第８の課題解決手段は、前記装置乾燥運転を行っている際は装置乾燥運転中である旨を報知することを特徴としたものである。
【００２８】
この手段により、使用者に装置乾燥運転中である旨を報知することで、サウナ装置内部が結露することなく、サウナ装置内部を乾燥する装置乾燥運転を使用者が誤って中断することを防止できるサウナ装置を提供できる。
【発明の効果】
【００２９】
本発明によれば浴室内にいる使用者に水をかけることなく、また、サウナ装置内部に菌が繁殖することなく、また使用者に不快感を与えることなくサウナ装置内部に残留した加湿温水を排出する残留水排水運転を行うことができるサウナ装置を提供できる。
【００３０】
また、本発明によれば長期不在にする際など使用者の意思により、浴室内にいる使用者に水をかけることなく、また、サウナ装置内部に菌が繁殖することなく、また使用者に不快感を与えることなく残留した加湿温水を排出することができるサウナ装置を提供できる。
【００３１】
本発明によれば浴室内にいる使用者に水をかけることなく、また、サウナ装置内部に菌が繁殖することなく、また使用者に不快感を与えることなくサウナ装置内部に残留した加湿温水を排出する残留水排水運転を行うよう使用者に促すことができるサウナ装置を提供できる。
【００３２】
また、本発明によればサウナ装置内部に残留した加湿温水を排出した後、結露防止と菌発生抑制のためサウナ装置内部を乾燥する装置乾燥運転を行う、または使用者に装置乾燥運転を促すことができるサウナ装置を提供できる。
【発明を実施するための最良の形態】
【００３３】
本発明の請求項１記載の発明は、空気を加温および加湿することにより浴室内をサウナ空間とするサウナ装置において、サウナ装置内に残留した水を浴室内の排水口または浴室外に排出する排水手段を設けたことを特徴とするサウナ装置であり、使用者がサウナ運転を終了した後、菌繁殖防止のためサウナ装置に残留水を排水する際に、前記排出手段は使用者に触れ難い箇所へ残留水を排出することとなり、浴室内にいる使用者に水をかけることなく、また、サウナ装置内部に菌が繁殖することなく、また使用者に不快感を与えることなくサウナ装置内部に残留した加湿温水を排出することができるサウナ装置を提供できるという作用を有する。
【００３４】
また、請求項２記載の発明は、前記排水手段を動作させ、サウナ装置内に残留した水を排出する残留水排水運転のモードと、使用者が残留水排水運転を指令する運転指令入力手段を設けたことを特徴とするサウナ装置であり、サウナ運転の終了後など使用者の意思により残留水排水運転を指令する運転指令を入力する事で残留水排水運転を行うこととなり、浴室内にいる使用者に水をかけることなく、また、サウナ装置内部に菌が繁殖することなく、また使用者に不快感を与えることなくサウナ装置内部に残留した加湿温水を排出することができるサウナ装置を提供できるという作用を有する。
【００３５】
また、請求項３記載の発明は、前記残留水排水運転後、サウナ装置内を乾燥する装置乾燥運転を行うことを特徴とするサウナ装置であり、サウナ装置内部に残留した加湿温水を排出した後、サウナ装置内部を乾燥する装置乾燥運転を行うこととなり、サウナ装置内部を乾燥させることでサウナ装置内部の結露防止と菌発生が抑制できるサウナ装置を提供できるという作用を有する。
【００３６】
また、請求項４記載の発明は、サウナ運転終了後、使用者に残留水排水運転の実施を促す残留水排水運転要請手段を備えたことを特徴とするサウナ装置であり、浴室内にいる使用者に水をかけることなく、また、サウナ装置内部に菌が繁殖することなく、また使用者に不快感を与えることなくサウナ装置内部に残留した加湿温水を排出する残留水排水運転を促すことができるサウナ装置を提供できるという作用を有する。
【００３７】
また、請求項５記載の発明は、前記残留水排水運転および前記装置乾燥運転をサウナ運転終了後から所定時間経過後に行うことを特徴とするサウナ装置であり、所定時間経過後に行うことで使用者が意識することなく、浴室内にいる使用者に水をかけることなく、また、サウナ装置内部に菌が繁殖することなく、また使用者に不快感を与えることなくサウナ装置内部に残留した加湿温水を排出する残留水排水運転、およびサウナ装置内部を乾燥させることでサウナ装置内部の結露防止と菌発生が抑制する装置乾燥運転ができるサウナ装置を提供できるという作用を有する。
【００３８】
また、請求項６記載の発明は、前記残留水排水運転および前記装置乾燥運転を定期的に行うことを特徴とするサウナ装置であり、定期的に行うことで使用者が意識することなく、浴室内にいる使用者に水をかけることなく、また、サウナ装置内部に菌が繁殖することなく、また使用者に不快感を与えることなくサウナ装置内部に残留した加湿温水を排出する残留水排水運転、およびサウナ装置内部を乾燥させることでサウナ装置内部の結露防止と菌発生が抑制する装置乾燥運転ができるサウナ装置を提供できるという作用を有する。
【００３９】
また、請求項７記載の発明は、前記残留水排水運転を行っている際は残留水排水運転中である旨を報知する報知手段を備えたことを特徴とするサウナ装置であり、浴室内にいる使用者に水をかけることなく、また、サウナ装置内部に菌が繁殖することなく、また使用者に不快感を与えることなくサウナ装置内部に残留した加湿温水を排出する残留水排水運転を使用者が誤って中断することを防止することができるサウナ装置を提供できるという作用を有する。
【００４０】
また、請求項８記載の発明は、前記装置乾燥運転を行っている際は装置乾燥運転中である旨を報知することを特徴とするサウナ装置であり、サウナ装置内部に残留した加湿温水を排出した後、サウナ装置内部を乾燥する装置乾燥運転を行うこととなり、サウナ装置内部を乾燥させることでサウナ装置内部の結露防止と菌発生が抑制できる装置乾燥運転を使用者が誤って中断することを防止することができるサウナ装置を提供できるという作用を有する。
【００４１】
以下、本発明の実施の形態について図面を参照しながら説明する。
【００４２】
（実施の形態１）
図１に示すように、浴室１０１の天井部１０２に設置されたサウナ装置１０３内部には、浴室１０１内の空気をサウナ装置１０３内部に取りこむための吸込み口１０４、サウナ装置１０３内部で加温した空気を浴室１０１内に吹出す為の吹出し口１０５、空気を循環させるための循環ファン１０６、空気を加温するための熱交換器１０７、熱交換器１０７に温水を供給するための温水循環経路１０８、温水循環経路１０８を循環する温水の循環を停止するための循環水閉止弁１０９、加湿用の水または温水を浴室１０１内に噴霧するための噴霧ノズル１１０、噴霧ノズル１１０に加湿用の水または温水を供給するための加湿温水供給経路１１１、加湿温水供給経路１１１に供給する温水の供給を停止するための加湿温水閉止弁１１２が設けられている。排水手段としては、排水できればよく、例えば、本実施の形態１では、三方弁１を外部排水配管３の方向に切り替えることとする。サウナ装置内に残留した水を、排水手段により排水し、あるいは排水口８に排水する。
【００４３】
サウナ装置１０３に設けられた温水循環経路１０８は外部配管１１３を介してボイラなどの熱源機１１４の暖房用温水循環回路１１５（図示せず）に接続され、熱源機１１４から供給された温水をサウナ装置１０３内部に循環させる。温水循環経路１０８上に設けられた熱交換器１０７上で、循環ファン１０６によりサウナ装置１０３内に取り込まれた浴室１０１内の空気と熱交換を行うことで浴室１０１内の空気を加温する。熱交換器１０７で熱交換を行う事により低温となった温水は温水循環経路１０８及び外部配管１１３を介して熱源機１１４に戻り、再び加温されてサウナ装置１０３に供給される。また、循環ファン１０６により吸込み口１０４からサウナ装置１０３内部に取りこまれた浴室１０１内の空気は熱交換器１０７で加温された後、吹出し口１０５を通って浴室１０１内に戻される事で浴室１０１内の空気を加温する。
【００４４】
一方、サウナ装置１０３に設けられた加湿温水供給経路１１１は外部給湯配管１１６により、熱源機１１４の給湯回路１１７（図示せず）に接続され、熱源機１１４から供給された加湿用温水は外部給湯配管１１６を介してサウナ装置１０３内の加湿温水供給経路１１１に供給され、加湿温水供給経路１１１に接続された噴霧ノズル１１０から浴室１０１内へ細かい霧状に噴霧されることで浴室１０１内の空気を加湿する。
【００４５】
サウナ装置１０３の加湿水供給経路１１１の入口部には三方弁１が備えられており、三方弁１の入口側は熱源機１１４から供給される外部給湯配管１１６に接続されており、三方弁１の出口側の一方はサウナ装置１０３内部の加湿温水供給経路１１１に接続されており、他方はサウナ装置１０３外部に排水を行うための排水経路２に接続されている。排水経路２はサウナ装置１０３外部に設けられた外部排水配管３に接続され、外部排水配管３は浴室１０１の外側を浴室１０１の下部に設けられた浴室１０１内の浴槽及び洗い場の排水を一時貯留するためのドレンパン４近傍の壁面付近まで配設され、ドレンパン４近傍の壁面を貫通することによりドレンパン４にサウナ装置１０３から排出された水を排水する。浴室１０１の壁面の貫通部には浴室１０１内の水蒸気が浴室外部に漏れないようシールされ取り付けられた管接続部材５を設けている。
【００４６】
また、運転動作や設定などの指示や表示を行う遠隔操作装置６の入力により三方弁１、循環ファン１０６、循環水閉止弁１０９、加湿温水閉止弁１１２などの出力を制御する制御手段７が設けられている。
【００４７】
遠隔操作装置６は浴室１０１内や台所、脱衣室などに設けられた有線方式または電波や光、その他媒体を利用した無線方式の制御手段７と双方向に通信可能なリモコンで、各操作スイッチの操作により制御手段７に運転モードや設定などの指令を行うこととなる。遠隔操作装置６には乾燥運転モードを指令するスイッチ、暖房運転モードを指令するスイッチ、換気運転モードを指令するスイッチ、涼風運転モードを指令するスイッチ、サウナ運転モードを指令するサウナ運転スイッチ６ａ、暖房運転やサウナ運転など好みの温度設定にできるような温度設定スイッチや、吹出し口から吹出される風の向きを切り替えるための風向切り替えスイッチ、サウナ装置１０３内部に残留した加湿温水を排出する残留水排水運転モードを指令する残留水排水運転スイッチ６ｂ、サウナ運転終了後に使用者に残留水排水運転を音声、ブザー、ＬＥＤの点灯、点滅などで促す残留水排水運転要請手段６ｃ、残留水排水運転中であることを使用者に報知する報知手段６ｄなどが設けられている。
【００４８】
制御手段７は、マイクロコンピュータなどを利用した制御基板により、遠隔操作装置６からの入力情報、循環ファン１０６のファン回転数情報、温度検出手段（図示せず）による温度情報などを入力とし、その情報に応じて、リレーの開閉やオンオフ信号、ファン回転数指令信号などを出力することで各々動作させ、三方弁１、循環ファン１０６、循環水閉止弁１０９、加湿温水閉止弁１１２などを制御することとなる。
【００４９】
サウナ装置１０３を浴室１０１に設置した直後は外部配管１１３内部には配管設置時のゴミなどが付着しており、初回の通水時にこれらのゴミが押し流され、サウナ装置１０３に流入する可能性がある。このため、初回通水時には遠隔操作装置６に備えられた残留水排水運転スイッチ６ｂを押すことで残留水排水運転を行う。
【００５０】
残留水排水運転は、制御手段７より三方弁１の通水方向を三方弁１の入口から排水経路２側に通水する方向になるよう制御され、初回通水時に押し流されてくる配管内のゴミ等を排水経路２方向へ通水させ外部排水配管３へと送る。一定量以上または一定時間、例えば３０秒から３分の通水を行うことによって配管内の洗浄、排水を行うようにしている。
【００５１】
また、残留水排水運転中は使用者が誤って中断してしまう事のないよう遠隔操作装置６に備えられた報知手段６ｄにより残留水排水運転中であることを使用者にＬＥＤの点滅とブザーの鳴動で報知することとなる。
【００５２】
使用者がサウナ運転行う際には、遠隔操作装置６に備えられたサウナ運転スイッチ６ａを押すことで実行される。
【００５３】
サウナ運転は、制御手段７により三方弁１の通水方向を入口からサウナ装置１０３内部の加湿温水供給経路１１１側に通水する方向に切り替え、加湿温水供給経路１１１の下流に設けられた噴霧ノズル１１０から温水を浴室１０１内に噴霧することで浴室１０１内を加湿し、循環水閉止弁１０９を開弁し、熱源機１１４で暖められた温水を熱交換器１０７に循環供給し、吸込み口１０４より吸い込んだ空気を熱交換器１０７により加温し、循環ファン１０６の動作により吹出し口１０５より温風を噴き出すことで浴室１０１内を加温することによりサウナ運転が行われる。
【００５４】
サウナ運転を遠隔操作装置６による停止指令や運転時間の完了により停止した際には、遠隔操作装置６に備えられた残留水排水運転要請手段６ｃより使用者に、音声で「排水運転をして下さい」と報知することで残留水排水運転を促す。使用者が残留水排水運転スイッチ６ｂを押すことにより、先述の残留水排水運転を行い、加湿温水供給経路１１１内に残留した水をすべて排水することとなる。
【００５５】
上記のようなサウナ装置の構成と運転方法により、浴室内にいる使用者に水をかけることなく、また、サウナ装置内部に菌が繁殖することなく、また使用者に不快感を与えることなく残留した加湿温水を排出する残留水排水運転を行う、または使用者に残留水排水運転を促すことができるサウナ装置を提供することが可能となる。
【００５６】
また、サウナ装置設置時の試運転、長期不在にする際など使用者の意思により、サウナ装置内の水抜きを行う場合、浴室内にいる使用者に水をかけることなく、また、サウナ装置内部に菌が繁殖することなく、また使用者に不快感を与えることなく残留した加湿温水を排出することができるサウナ装置を提供することが可能となる。
【００５７】
なお、本実施の形態において、前記残留水排水運転は使用者が遠隔操作装置６に備えられた残留水排水運転スイッチ６ｂを押すことにより実施するものとしたが、サウナ運転終了後から所定時間経過後、例えば使用者がサウナ運転終了後、５分乃至２０分経過後に運転モードが停止となっている際には浴室１０１から退室していると判断し、前記残留水排水運転を実行するものとしてもよく、その作用効果に差異は生じない。
【００５８】
また、本実施の形態において、前記残留水排水運転は使用者が遠隔操作装置６に備えられた残留水排水運転スイッチ６ｂを押すことにより実施するものとしたが、初回電源投入時または残留水排水運転終了時に定期的に前記残留水排水運転を行うためのタイマＴ０１、例えば４８時間のタイマをスタートさせ、Ｔ０１がカウントアップした際に、運転モードが停止となっている際には、使用者が浴室１０１から退室していると判断し、前記残留水排水運転を実行し、残留水排水運転終了時に再度タイマＴ０１をスタートし、残留水排水運転を４８時間ごとに行うものとしてもよく、その作用効果に差異は生じない。
【００５９】
なお、本実施の形態において、残留水排水運転要請手段６ｃは音声による案内としたが、ＬＥＤの点灯、点滅やブザーによる報知としてもよく、その作用効果に差異は生じない。
【００６０】
なお、本実施の形態において、残留水排水運転中であることを使用者に報知する報知手段６ｄはＬＥＤの点滅とブザーによるものとしたが、「排水運転中です」など音声によるものとしてもよく、その作用効果に差異は生じない。
【００６１】
なお、本発明におけるサウナ空間とは、通常空間よりも高温、高湿で、使用者の発汗が促進される空間であり、一例として温度が３５℃〜４５℃、相対湿度８０％程度の空間である。ただし、人体からの発汗が促進される空間であれば良く、温度、湿度とも使用者の好みに合わせて変化させられることが望ましい。
【００６２】
（実施の形態２）
実施の形態１において、遠隔操作装置６に備えられた残留水排水運転スイッチ６ｂを押すことにより、残留水排水運転を行うとしたが、サウナ運転終了直後、浴室１０１内はまだ高温、高湿な空間が予想されるため、残留水排水運転を行った後、続いて装置内を乾燥させる装置乾燥運転を行うというものである。
【００６３】
装置乾燥運転は循環水閉止弁１０９を開弁し、熱源機１１４で暖められた温水を熱交換器１０７に循環供給し、吸込み口１０４より吸い込んだ空気を熱交換器１０７により加温し、吹出し口１０５を極力閉じるよう風向を切り替え、循環ファン１０６を動作させることによりサウナ装置１０３内部に熱が篭るよう制御することでサウナ装置１０３内部を乾燥することとなる。
【００６４】
また、装置乾燥運転中は使用者が誤って中断してしまう事のないよう遠隔操作装置６に備えられた報知手段６ｄにより装置乾燥運転中であることを使用者にＬＥＤの点滅とブザーの鳴動で報知することとなる。
【００６５】
上記のようなサウナ装置の構成と運転方法により、実施の形態１での作用効果に加え、サウナ装置内部に残留した加湿温水を排出した後、結露防止と菌発生抑制のためサウナ装置内部を乾燥する装置乾燥運転を行う、または使用者に装置乾燥運転を促すことができるサウナ装置を提供することが可能となる。
【００６６】
なお、本実施の形態において、装置乾燥運転中であることを使用者に報知する報知手段６ｄはＬＥＤの点滅とブザーによるものとしたが、「装置乾燥運転中です」など音声によるものとしてもよく、その作用効果に差異は生じない。
【産業上の利用可能性】
【００６７】
本発明にかかるサウナ装置では、浴室内にいる使用者に水をかけることなく、また、サウナ装置内部に菌が繁殖することなく、また使用者に不快感を与えることなくサウナ装置内部に残留した加湿温水を排出する残留水排水運転を行うことができ、また、長期不在にする際など使用者の意思により、残留水排水運転を行うことができ、さらに、サウナ装置内部に残留した加湿温水を排出した後、結露防止と菌発生抑制のためサウナ装置内部を乾燥する装置乾燥運転を行う、または使用者に装置乾燥運転を促すことができるものであり、浴室に限らず、居室の加湿を行う空気調和装置への用途にも適用できる。
【図面の簡単な説明】
【００６８】
【図１】本発明の実施の形態１のサウナ装置の概念図
【図２】従来のサウナ装置の概念図
【符号の説明】
【００６９】
１      三方弁
２      排水経路
３      外部排水配管
４      ドレンパン
５      管接続部材
６      遠隔操作装置
７      制御手段
８      排水口
１０１  浴室
１０２  天井部
１０３  サウナ装置
１０４  吸込み口
１０５  吹出し口
１０６  循環ファン
１０７  熱交換器
１０８  温水循環経路
１０９  循環水閉止弁
１１０  噴霧ノズル
１１１  加湿温水供給経路
１１２  加湿温水閉止弁
１１３  外部配管
１１４  熱源機
１１５  暖房用温水循環回路
１１６  外部給湯配管
１１７  給湯回路
【図１】
2007260007.tif 000003
【図２】
2007260007.tif 000004